(57)【要約】      （修正有）【課題】幼老、障害者、故障者等弱者の自立促進、助勢と省介護に役立つ。【解決手段】芯軸１は、既設水槽内レバー「イ」から同予備穴「ロ」を通り手摺管３内のピストン２を結ぶ「可とう体」で、しなやかに変形しながら推力を伝える。引金４は、ピストン２に固定され、手摺管３の外から推力を得る駆動原点である。手摺管３は、ピストン２のシリンダー筒を兼ねる役目も持ち、長さは内蔵する部品の合計よりも多少長く、また管３の中間部辺り軸方向に引金４の通り道となる長穴２６と「定点、矢印、目的を記載したシール」２４、及び必要点に、壁面への固定脚２５を複数持つ。この手摺管３の固定位置は、使用者の希望壁面とする。【選択図】図１
0003114751.tif 000002
【実用新案登録請求の範囲】
【請求項１】
水洗トイレ既設水槽の、槽内部品を組替えて、水洗駆動源を２元化し、分岐枝に可とう体を用いて往復運動に変え、水槽予備口を通し槽外に導き出したこと。
【請求項２】
既設水槽の機能を維持し、水槽内に連結された、手摺と一体の遠隔手元操縦機の運転までを人力駆動で達成したこと。
【請求項３】
手元操縦機を、幼、老、弱者等の自立を促す省介護用として自由に位置や方向を、応用設定できる構成としたこと。
【考案の詳細な説明】
【技術分野】
【０００１】弱者救済のため、現有性能を機構的に極力拡大した、機械工学である。
【背景技術】
【０００２】人間の五感を超越し隔段進化したＩＴ制御品は存在するが、「年令縦断」，「文明横断」の目線で構築された［脱エネ操縦機］は具現化されていない。
【考案の開示】
【考案が解決しようとする課題】
【０００３】耐用年数が半永久的な部分はそのまま，保持。本案を加え［中級設備］として、先進設備との格差を縮小、社会に価値観や選択肢の見直しを問う。【０００４】幼老、障害者、故障者等弱者の自立促進、助勢と  省介護である。
【課題を解決するための手段】
【０００５】
【０００６】既設水槽の槽内部品を組替えて、水洗駆動源を２元化し、分岐枝に可とう体を用いて往復運動に変え、水槽予備口を通し、槽外に導き出すこと。【０００７】既設水槽の機能を維持し、水槽内に連結された、手摺と一体の遠隔手元操縦機の運転までを人力駆動で達成すること。【０００８】手元操縦機を、幼、老、弱者等の自立を促す省介護用として自由に位置や方向を応用設定できる構成にすること。
【考案の効果】
【０００９】実証機は違和感無く運転中で、新旧の融合が果された事が確認出来た。
手摺兼手元操縦機がある事により、幼老・・省介護が可能になるばかりか負傷者等の多い被災地でも、用水さえあれば常設使用可能である。
【考案を実施するための最良の形態】
【００１０】次項の［実施例］に形態の一例を示すが、良否の評価は客観に委ねる。
【実施例】
【００１１】実施例については「最奥壁の隅付水槽」を想定、図面を併用して説明する。
図１・・図６で、芯軸１は、既設水槽内レバー「イ」から同予備穴「ロ」を通り手摺管３内のピストン２を結ぶ「可とう体」で、しなやかに変形しながら推力を伝える。引金４は、ピストン２に固定され、手摺管３の外から推力を得る駆動原点である。【１０１２】手摺管３は、ピストン２のシリンダー筒を兼ねる役目も持ち、長さは内蔵する部品の合計よりも多少長く、また管３の中間部辺り軸方向に引金４の通り道となる長穴２６と「定点、矢印、目的を記載したシール」２４、及び必要点に、壁面への固定脚２５を複数持つ。この手摺管３の固定位置は、使用者の希望壁面とする。以下に部品各々の詳細を記述する。【００１３】芯軸１の材質は、適度な柔軟性と、押引スラスト荷重に耐える強度を併せ持ち，また形状は、既設設備に接続する為、イ側端をイの穴径と同じ内径の輪状とし、中間部は途中の蛇行を最小限とするため滑り玉５を必要個所に必要数芯軸１に断続固定する。２側は異径継手６により雄ネジ７と一体化結合するが一連の部品は案内管８の中を滑らかに潜り抜ける形状とする。【００１４】案内管８は、芯軸１を目指す方向へ導く剛性管体で螺旋曲げ加工等を必要量施し、長さを芯軸１よりも適量短く設定する。ブッシュセットは半硬質２ツ割ブッシュ９が１組、内座金１０、外座金１１、ボルト，ナット１２が２組から成り、これらを案内管８の位置、姿勢を決めながら組付ける際、水槽予備穴「ロ」の内径に働く  ９の圧入による分力、ラジアル荷重に注意しながら行なえば案内管８の求芯、ズレ及び回り止め支点となる。【００１５】次にピストン２周辺について説明する。ピストン２は、長さ任意の円柱状滑動体で以降「前後に雄ねじ２０及び２１、中間付近に定位置復帰を促す埋込磁石２７を接着した物」の総称とする。予め２１に、外周溝付ナット１８、溝付バネ座１９を仮止め、雄ネジ２０側に  小ナット２２、長ソケット２３を最奥に仮止めした後、内面に埋込み接着した磁力接着体２８を持つ手摺管３の中に、バネ１６、ピストン２、バネ１７の順に挿入する。【００１６】一方案内管８の内外には予め挿入しておいた１と接続管１５を、ネジ部品７，２０，２２，２３を締結する為に作業空間分移動し、その空間に露出した上記部品を、水
0003114751.tif 000003
充たす定位置］にある事を確認してから長ソケット２３を雄ネジ７，２０に双方バランス良く渡した後、ナット２２を２３に緊結する。その後、１５を戻し止めネジ２９により３と組み立てる。【００１７】案内管８や接続管１５、手摺管３の長さはこれらの条件を参考として必要長さを概算、固定脚２５により壁に固定された手摺管３に関しては、さらにピストンの定位置近辺復帰を果すバネ１６、１７と微調整の役目を果す溝付バネ座１９、及び溝付ナット１８を内蔵していることを考慮し、長さを加算する。１８、１９は長穴２６の外から刃先状工具等で回転させる。引金４は引金止ネジ３０によりピストン２に固定され、長穴２６の中で外力を受けて滑動し、一連の部品を駆動する。長穴２６の全長（符号３４＋３５＋３６）は以上を勘案して求める。また２７、２８の磁石コンビは１６、１７の反発力が減衰する辺りで働く「定位置戻し」であるが必要に応じて、円周と軸方向の位相を変え、複数化し増強してもよい。【００１８】次に水槽内既設部との組替え接続について図６にて説明する。
細線の左図は既設状態を現し、水槽内レバーイ、掛金ハ、栓抜き鎖ニの構成となっている。右図は、実線の新設部品を加えて組替えし、芯軸１と連結した状態を現している。ハの向きを上から見て９０度変え、新部品両端溝付きピン３１を１本、Ｒ形止ピン３２を２本、平座金３３を４枚追加し、イの先端穴に合わせて同芯として図の順番に組立てる。【００１９】［図２］に現す案内管８の、先端マウス１３は分銅形の様に、円板の一点から中心にかけて円筒共に、芯軸１の太さより僅かに広いスリットを入れる。理由は後付けする為と、空気出入り穴になる等である。これを取り付ける場合スリットの向きは芯軸１からの負荷が最少の方向とし案内管８に差し込んだ後に止めテープ１４を巻けばよい。
【産業上の利用可能性】
【００２０】製造に関しては関連企業が潤い、製品の販路は戸建住宅から大規模団地の修繕工事、災害地等と利用対象は「脱エネ」の強さで地球規模に拡大する可能性がある。
【図面の簡単な説明】  注記：図面は全て誇張図であり、相互に比例しない。【００２１】
【図１】  「全体構成を見た斜視図である」。細線は既設部を示す。（図１，２，３，６）
【図２】  「案内管８周りの構成断面図」である。
【図３】  「断面矢視  Ａ−Ａ」である。
【図４】  「ピストン２周りの縦断面図」である。
【図５】  「断面矢視  Ｂ−Ｂ」である。
【図６】  「水槽内レバー  組替図」である。
【符号の説明】
【００２２】  １、５、６、７          芯軸組立
２、２０、２１、２７    ピストン組立
３、２４、２５、２８    手摺管組立
４、３０        引金
８、１３、１４        案内管組立
９、１０、１１、１２    ブッシュセット組立
１５、２９      接続管
１６、１７      バネ（コイルバネ）
１８、２２      ナット、小ナット
１９        バネ座
２３        長ソケット
２６        長穴
３１        両端溝付きピン
３２、３３    Ｒ形止ピン、平座金
３４、３５、３６    ピストンのストローク、引金の長さ
イ      既設内レバー
ロ      既設水槽予備口
ハ      既設掛金
ニ      既設栓抜き鎖
Ａ、Ｂ      断面の位置、矢視方向
【図１】
0003114751.tif 000004
【図２】
0003114751.tif 000005
【図３】
0003114751.tif 000006
【図４】
0003114751.tif 000007
【図５】
0003114751.tif 000008
【図６】
0003114751.tif 000009
【手続補正書】
【提出日】平成17年6月27日(2005.6.27)
【手続補正１】
【補正対象書類名】実用新案登録請求の範囲
【補正対象項目名】全文
【補正方法】変更
【補正の内容】
【実用新案登録請求の範囲】
【請求項１】
水洗トイレ水槽の外レバーと一体の内レバー「イ」先をピン接合とし、ピン３１に可とう体の芯線１を接続し、外レバーから分岐して駆動源を二元化した水洗トイレ手元操縦機であって、芯線１は必要量螺旋曲げ加工をした剛性の案内管８の中を通り、また案内管８は水槽の予備穴「ロ」を活用して水槽壁に固定貫通されて、芯線１共に水槽外に導く構造とした水洗トイレ手元操縦機。
【請求項２】
「水槽壁に固定貫通」を特徴とする請求項１記載の文脈を詳解すると、水槽の予備穴「ロ」は、案内管８の姿勢を確保するに当り、芯線１の煽りによる反力を重視して、水槽壁貫通部に半硬質のブッシュ９、内座金１０、外座金１１、ボルト、ナット１２を設けるが各々の形状は、ブッシュ９はビンのゴム栓形で予備穴「ロ」の穴径に適合する太さで更に下記加工、１０は外径が予備穴「ロ」と同径、１１は外径が予備穴「ロ」＋約１ｃｍとし、ブッシュ９、内座金１０、外座金１１の３個共、中心に案内管８を通す＋公差の穴をあけ、また軸方向から見て残肉部の対角２点にボルト、ナット１２用の穴をあけ、ブッシュ９のみ穴三つ縦断二つ割して部品を完成した後、負荷点の至近で支える使命上ブッシュ９は水槽内面から挿し込むが、予め案内管８の該当面に滑り止めの「アヤ目ローレット加工」を施しブッシュ９、内座金１０、外座金１１、ボルト、ナット１２を組み付け、芯線１の反力を緩和し既設水槽への影響に配慮した水洗トイレ手元操縦機。
【請求項３】
「可とう体の芯線１を接続」を特徴とする請求項１記載の文脈を詳解すると、レバー「イ」の必要回転角度は、既定された［定点］±０°から［大］：（時計回り）＋１０５°［小］：（反時計回り）−６０°の角度に至る迄引金４から芯線１に±の推力を与え回転させるが［小］方向は特に問題は無く、［大］方向は角度が大きく圧縮荷重を受け＋１０５°迄押し上げるため芯線１は水圧負荷等に対抗すべく空中でＳ字や弓形に撓みモーメントアームを選んで行程を果し、引金４脱力後は内レバー「イ」が即［定点］復帰するこの空中運動と螺旋曲り及び直線の芯線１による連続した複数の異種運動を解析し軌道を求め、滑り玉５、先端マウス１３を加えて蛇行を封じ水槽内外を安定させ、幼老弱者でも馴染みやすくした水洗トイレ手元操縦機。
【手続補正２】
【補正対象書類名】明細書
【補正対象項目名】全文
【補正方法】変更
【補正の内容】
【考案の詳細な説明】
【技術分野】
【０００１】  既設設備の機能を温存し、機構的に新機能を展開した、機械工学である。
【背景技術】
【０００２】  人間の五感を超越し隔段進化した電子制御品は存在するが、「年令縦断」、「文明横断」を目標とした完全脱エネの「水洗トイレ手元操縦機」は具現化されていない。
【考案の開示】
【考案が解決しようとする課題】
【０００３】〈１〉既設設備の全てを温存し、本案を追加して電子制御品との隔差を是正、社会に価値観や選択肢の見直しを問う。
〈２〉幼老、障害者、負傷者等、弱者の自立促進助勢と省介護、省エネである。【０００４】〈３〉本案の有効性を早期に証明する為、実証機の高速耐久試験を果すこと。【０００５】
【課題を解決するための手段】
【０００６】  水洗トイレ水槽の外レバーと一体の内レバー「イ」先をピン接合とし、ピン３１に可とう体の芯線１を接続し、外レバーから分岐して駆動源を二元化した水洗トイレ手元操縦機であって、芯線１は必要量螺旋曲げ加工をした剛性の案内管８の中を通り、また案内管８は水槽の予備穴「ロ」を活用して水槽壁に固定貫通されて、芯線１共に水槽外に導く構造とした水洗トイレ手元操縦機。【０００７】  水槽の予備穴「ロ」は、案内管８の姿勢を確保するに当り、芯線１の煽りによる反力を重視して、水槽壁貫通部に半硬質のブッシュ９、内座金１０、外座金１１、ボルト、ナット１２を設けるが各々の形状は、ブッシュ９はビンのゴム栓形で予備穴「ロ」の穴径に適合する太さで更に下記加工、１０は外径が予備穴「ロ」と同径、１１は外径が予備穴「ロ」＋約１ｃｍとし、ブッシュ９、内座金１０、外座金１１の３個共、中心に案内管８を通す＋公差の穴をあけ、また軸方向から見て残肉部の対角２点にボルト、ナット１２用の穴をあけ、ブッシュ９のみ穴三つ縦断二つ割して部品を完成した後、負荷点の至近で支える使命上ブッシュ９は水槽内面から挿し込むが、予め案内管８の該当面に滑り止めの「アヤ目ローレット加工」を施しブッシュ９、内座金１０、外座金１１、ボルト、ナット１２を組み付け、芯線１の反力を緩和し既設水槽への影響に配慮した水洗トイレ手元操縦機。【０００８】  内レバー「イ」の必要回転角度は、既定された［定点］±０°から［大］：（時計回り）＋１０５°［小］：（反時計回り）−６０°の角度に至る迄引金４から芯線１に±の推力を与え回転させるが［小］方向は特に問題は無く、［大］方向は角度が大きく圧縮荷重を受け＋１０５°迄押し上げるため芯線１は水圧負荷等に対抗すべく空中でＳ字や弓形に撓みモーメントアームを選んで行程を果し、引金４脱力後は内レバー「イ」が即［定点］復帰するこの空中運動と螺旋曲り及び直線の芯線１による連続した複数の異種運動を解析し軌道を求め、滑り玉５、先端マウス１３を加えて蛇行を封じ水槽内外を安定させ、幼老弱者でも馴染みやすくした水洗トイレ手元操縦機。
【考案の効果】
【０００９】  手元操縦機がある事により、幼老弱者の省介護が可能になる他、負傷者や停電、断水等の多い被災地でも、流水や溜め水をホース等で注ぎ、下流を確保すれば「完全脱エネ」で使用可能であり効果は大きく、また幼小児には新形の手摺を体験させ、五感と共に作法を躾ることが出来る。
【考案を実施するための最良の形態】
【００１０】  次項
【実施例】に一例を示し実用を証明するが、良否の評価は客観に委ねる。
【実施例】
【００１１】  実施例は「奥壁の隅付水槽に背向かう様式」を仮定、図面を併用して説明すると、図１・・図６で、芯線１は、既設水槽の内レバー「イ」から同予備穴「ロ」を通り手摺管３内のピストン２を結ぶ可とう体で、柔軟に変形しながら推力を伝え、引金４は、ピストン２に固定され、手摺管３の外から推力を操る駆動原点である。【１０１２】  手摺管３は、ピストン２のシリンダー筒を兼ね、長さは内蔵する部品の合計より任意長く、また操縦性の良い中間部辺りの軸方向に引金４の通り道となる長穴２６と、外面に［定点］、［矢印］、［目的］を目視文字と点字で記載した「シール２４」、内面に埋込み接着した磁力接着体２８を持つ他、必要点に壁面への固定脚２５を複数持つが、この手摺管３の固定位置や全長、図示以外の形（例えばＬ形）は、使用者が選択する。【００１３】  芯線１の材質は、適度な柔軟性と、押引スラスト荷重に耐える強度を併せ持ち，また形状は、既設設備に接続する為、「イ」側端を「イ」の穴径と同じ内径の輪状とし、中間部は道中の蛇行を防ぐため滑り玉５を他部品と干渉しない要所に必要数芯線１に断続固定し、ピストン２側は異径継手６により雄ネジ７と圧着一体化するが一連の部品は、案内管８の中を滑らかに潜り抜ける太さとする。【００１４】  案内管８は、芯線１を導く剛性管体で途中螺旋曲げと滑り止め「アヤ目ローレット加工」を必要量施し、長さは【００１６】により設定するが、ブッシュセットは半硬質のブッシュ９（二つ割）が１組、内座金１０、外座金１１各１個、ボルト，ナット１２が２組から成り、これらを案内管８の位置、姿勢を確認し組付ける際、予備穴「ロ」の内径に働くブッシュ９の圧入分力、ラジアル荷重に注意して行い案内管８の求芯、軸方向のズレ及び回り止め支点とする。【００１５】  ピストン２は、長さ任意の円柱状軽量滑動体で、前後に雄ねじ２０、２１、中間付近に［定点］復帰を助勢する埋込磁石２７を接着した物とするが予め雄ネジ２１に（外周溝付）ナット１８、（外周溝付／内径雌ネジの）バネ座１９を仮止め、雄ネジ２０側に小ナット２２、長ナット２３を最奥に仮止めした後、手摺管３の中に、バネ（小）１６、ピストン２、バネ（大）１７の順に挿入する。【００１６】  一方案内管８の内外には予め挿入しておいた、芯線１と接続管１５を、ネジ部品を締結する為に１５を作業空間分水槽側に移動し、水槽内外レバー「イ」と引金
0003114751.tif 000010
から露出した部品、長ナット２３を雄ネジ７，雄ネジ２０に双方バランス良く渡し、小ナット２２を長ナット２３に緊結後、１５を戻し止ネジ２９により手摺管３と組立てし、案内管８、接続管１５の長さは上記条件＋相互の挿込み代を勘案、適度に設定する。【００１７】  固定脚２５により壁に固定された手摺管３の内径深さは、雄ネジ２１のほかピストン２の長さ、［定点］近辺復帰を果す強さを持ったバネ（小）１６、バネ（大）１７を内蔵し、これにストローク（−）３５等を加算し設定する一方微調整ナット１８、バネ座１９は長穴２６の外から刃先状工具等で回転させ緊結し、引金４は引金止ネジ３０によりピストン２に固定され、長穴２６の中で外力により滑動させるが、長穴２６の全長は、引金４長さ３６＋（±）ストローク３４＋３５であり、また埋込磁石２７、磁力接着体２８はバネ（小）１６、バネ（大）１７を助勢する［定点］戻し部品である。【００１８】  次に水槽内既設部との組替え作業について図６で説明すると、細線の左図は既設状態を現し、水槽内レバー「イ」、掛金ハ、栓抜き鎖ニの構成となっているが右図は、実線の新設部品を加えて組替えし、芯線１と連結した状態を示し、ハの向きを上から見て９０°変え、新部品の両端溝付きピン３１を１本、Ｒ形止めピン３２を２本、平座金３３を４枚追加し、イの先端穴に合わせて同芯として図の順番に組立てる。【００１９】  ［図２］に現す案内管８の、先端マウス１３は、先端円板部の外周一点から中心迄、分銅形の様に円筒共々、芯線１の太さより僅かに広いスリットを入れるが、理由は芯線１の軌道確保と最終工程で取付け得る事、及び管内外の均圧穴として残す為で、取付ける場合スリットの向きは芯線１からの負荷が最少の横方向とし、案内管８に差し込み、止めテープ１４を巻けばよい。
【産業上の利用可能性】
【００２０】  隔段を補足する中段の考案だが、その反面「年齢縦断」、「文明横断」を成しており、マーケットは広く、製造に関しては関連企業が潤い、販路は個人宅から、公衆公共施設、介護施設、大規模集合住宅、災害地等「完全脱エネ」の手軽さで、地球規模に普及し得る可能性がある。
0003114751.tif 000011
0003114751.tif 000012
0003114751.tif 000013
0003114751.tif 000014